【手続補正書】
【提出日】平成24年9月27日(2012.9.27)
【手続補正１】
【補正対象書類名】明細書
【補正対象項目名】０００７
【補正方法】変更
【補正の内容】
【０００７】
上記の目的を達成するために、本発明の第１の態様の液晶表示装置は、第一の薄膜トランジスタに接続された第一の画素電極と第二の薄膜トランジスタに接続された第二の画素電極とが表示画素毎に形成され、前記第一の薄膜トランジスタと前記第二の薄膜トランジスタとが、互いに同じデータ信号線及び走査信号線に接続され、前記第一の画素電極と共通電極との間及び前記第二の画素電極と前記共通電極との間に液晶層が形成され、前記第一画素電極との間に第一誘電層が介在されて第一補償容量を形成する第一容量電極と、前記第二画素電極との間に第二誘電層が介在されて第二補償容量を形成する第二容量電極と、前記第二画素電極との間に第三誘電層が介在されて第三補償容量を形成する第三容量電極と、前記第一容量電極と前記第二容量電極とに前記共通電極への印加電圧と同じ第一の電圧を印加し、前記第三容量電極に前記第一の電圧とは異なる第二の電圧を印加する手段と、を備え、前記第三容量電極が、前記第二画素電極の所定の一辺に沿う方向に延伸するように且つ前記所定の一辺に重なるように形成され、前記第二容量電極が、前記第二容量電極との間に所定の間隔をあけて、前記第二画素電極の前記所定の一辺を除く他の辺に重なるように形成されている、ことを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００２６
【補正方法】変更
【補正の内容】
【００２６】
また、前記第一基板３には、前記各画素電極５にそれぞれ対応させて、前記第一画素電極５ａに接続された第一のＴＦＴ９ａと、前記第二画素電極５ｂに接続された第二のＴＦＴ９ｂと、が配置されている。この第一ＴＦＴ９ａと第二ＴＦＴ９ｂとは、前記第一画素電極５ａと第二画素電極５ｂとの間の領域に、前記行方向に並べて配置されている。
【手続補正１２】
【補正対象書類名】明細書
【補正対象項目名】００５０
【補正方法】変更
【補正の内容】
【００５０】
また、前記第二容量電極１８は、第二画素電極５ａの各辺のうち、前記走査信号線７に隣接する辺とは反対側の一辺以外の三辺と重なる三方枠形状に形成されている。そして、各第二容量電極１８は、行毎に、隣り合う第二容量電極１８，１８の前記走査信号線７に隣接する辺の端部同士を連続させて形成することにより共通接続されている。
【手続補正１３】
【補正対象書類名】明細書
【補正対象項目名】００５３
【補正方法】変更
【補正の内容】
【００５３】
また、第二容量電極１８は、第二画素電極５ｂの前記三辺（走査信号線７に隣接する辺とは反対側の一辺以外の辺）と、前記ゲート絶縁膜１１と被覆絶縁膜２０との二層膜からなる第二誘電層を介して対向し、前記第二画素電極５ｂとの間に第二補償容量Ｃｓ２を形成している。
【手続補正１４】
【補正対象書類名】明細書
【補正対象項目名】００５４
【補正方法】変更
【補正の内容】
【００５４】
さらに、第三容量電極１９は、前記第二画素電極５ｂの前記一辺（走査信号線７に隣接する辺とは反対側の一辺）と、前記ゲート絶縁膜１１と被覆絶縁膜２０との二層膜からなる第三誘電層を介して対向し、前記第二画素電極５ｂとの間に前記第三補償容量Ｃｓ３を形成している。
【手続補正１５】
【補正対象書類名】明細書
【補正対象項目名】００６２
【補正方法】変更
【補正の内容】
【００６２】
また、前記液晶層２は、誘電異方性が正のネマティック液晶からなっており、この液晶層２の液晶分子は、前記第一基板３と第二基板４との間において略９０度の捩れ角でツイスト配向している。
【手続補正１６】
【補正対象書類名】明細書
【補正対象項目名】００９２
【補正方法】変更
【補正の内容】
【００９２】
なお、第一画素電極５ａと走査信号線７及びデータ信号線８との間には、第一ＴＦＴ９ａのゲート−ソース間容量及びドレイン−ソース間容量等の寄生容量（以下、第一寄生容量という）が存在する。また、第二画素電極５ｂと走査信号線７及びテータ信号線８との間には、第二ＴＦＴ９ｂのゲート−ソース間容量及びドレイン−ソース間容量等の寄生容量（以下、第二寄生容量という）が存在する。
【手続補正１７】
【補正対象書類名】明細書
【補正対象項目名】００９３
【補正方法】変更
【補正の内容】
【００９３】
そのため、第一ＴＦＴ９ａ及び第二ＴＦＴ９ｂがオフし、書込みが終了すると、第一画素容量ＣＬＣ１及び第二補償容量Ｃｓ２にチャージされた電圧が、前記第一寄生容量への電圧の引込みによってある程度降下し、第二画素容量ＣＬＣ２と第二補償容量Ｃｓ２及び第三補償容量Ｃｓ３にチャージされた電圧が、前記第二寄生容量への電圧の引込みによってある程度降下する。
【手続補正１８】
【補正対象書類名】明細書
【補正対象項目名】００９５
【補正方法】変更
【補正の内容】
【００９５】
図１４は、第一行の各画素３０のうちの１つの画素３０の第一領域３０ａにおける第一画素電極５ａと共通電極６との間に印加される電圧を示し、図１５は、前記画素３０の第二領域３０ｂにおける第二画素電極５ｂと共通電極６との間に印加される電圧を示している。図１４において、ＶＰ１は第一画素電極５ａの電位である。また、図１５において、ＶＰ２は第二画素電極５ｂの電位である。なお、図１４及び図１５では、前記第一画素電極５ａ及び第二画素電極５ｂの電位ＶＰ１，ＶＰ２とコモン信号Ｖｃｏｍとを区別しやすいように、これらの立上がり及び立下がりを傾斜させている。
【手続補正１９】
【補正対象書類名】明細書
【補正対象項目名】００９９
【補正方法】変更
【補正の内容】
【００９９】
そのため、前記第一画素電極５ａと共通電極６との間の電圧は、第二行以下の各画素行の選択期間ｔ２，ｔ３，ｔ４，…ｔｎにおいても前記第一保持電圧Ｖａ１に保たれる。
【手続補正２０】
【補正対象書類名】明細書
【補正対象項目名】０１２９
【補正方法】変更
【補正の内容】
【０１２９】
そして、このように第一誘電層、第二誘電層及び第三誘電層を、同一の層として形成することにより、前記各補償容量Ｃｓ１，Ｃｓ２，Ｃｓ３を一括して同時に形成することができる。
【手続補正２１】
【補正対象書類名】明細書
【補正対象項目名】０１３０
【補正方法】変更
【補正の内容】
【０１３０】
また、上記実施例では、前記共通電極６に印加するコモン信号Ｖｃｏｍと前記第一容量電極１７に印加する第一電圧Ｖ１（Ｖｃｏｍ＝Ｖ１）を、電圧レベルが所定の周期で反転する矩形波交流電圧、例えば１フレーム中の各画素行の選択期間ｔ１，ｔ２，ｔ３，ｔ４，…ｔｎ毎に電圧レベルが反転する矩形波交流電圧としている。そのため、前記各画素３０の第一領域３０ａの液晶に、前記第一行の選択期間ｔ１の書込み終了後から１フレームの終了時までの期間中、前記実質書込み電圧Ｖａ１に対応した一定値の実効電圧を印加することができる。
【手続補正２２】
【補正対象書類名】明細書
【補正対象項目名】０１４６
【補正方法】変更
【補正の内容】
【０１４６】
この第二実施例の液晶表示装置においても、第一容量電極１７と第二容量電極１８とに共通電極６への印加電圧と同じ第一電圧Ｖ１を印加し、第三容量電極１９に前記第一電圧Ｖ１とは異なる第二電圧Ｖ２を印加することにより、上記第一実施例と同じ効果を得ることができる。
【手続補正２３】
【補正対象書類名】明細書
【補正対象項目名】０１５４
【補正方法】変更
【補正の内容】
【０１５４】
この第三実施例によれば、前記第二容量電極１８の走査信号線７を覆う部分が、第二画素電極５ｂと走査信号線７との間を電気的にシールドする効果をもつため、第二画素電極５ｂと共通電極６との間に印加された電圧に対する第二画素電極５ｂと走査信号線７との間の寄生容量による影響を小さくすることができる。
【手続補正２４】
【補正対象書類名】特許請求の範囲
【補正対象項目名】全文
【補正方法】変更
【補正の内容】
【特許請求の範囲】
【請求項１】
第一の薄膜トランジスタに接続された第一の画素電極と第二の薄膜トランジスタに接続された第二の画素電極とが表示画素毎に形成され、
前記第一の薄膜トランジスタと前記第二の薄膜トランジスタとが、互いに同じデータ信号線及び走査信号線に接続され、
前記第一の画素電極と共通電極との間及び前記第二の画素電極と前記共通電極との間に液晶層が形成され、
前記第一画素電極との間に第一誘電層が介在されて第一補償容量を形成する第一容量電極と、
前記第二画素電極との間に第二誘電層が介在されて第二補償容量を形成する第二容量電極と、
前記第二画素電極との間に第三誘電層が介在されて第三補償容量を形成する第三容量電極と、
前記第一容量電極と前記第二容量電極とに前記共通電極への印加電圧と同じ第一の電圧を印加し、前記第三容量電極に前記第一の電圧とは異なる第二の電圧を印加する手段と、
を備え、
前記第三容量電極が、前記第二画素電極の所定の一辺に沿う方向に延伸するように且つ前記所定の一辺に重なるように形成され、
前記第二容量電極が、前記第二容量電極との間に所定の間隔をあけて、前記第二画素電極の前記所定の一辺を除く他の辺に重なるように形成されている、
ことを特徴とする液晶表示装置。
【請求項２】
前記第一容量電極が、前記第一画素電極の各辺に重なるように形成されていることを特徴とする請求項１に記載の液晶表示装置。
【請求項３】
前記第一の画素電極と前記第二の画素電極との間を延伸するように前記走査信号線が配置されていることを特徴とする請求項１又は２に記載の液晶表示装置。
【請求項４】
前記第三容量電極が重なるように配置された前記所定の一辺は、前記第二画素電極の各辺のうちの前記走査信号線に隣接する辺とは反対側の辺であることを特徴とする請求項１乃至３のいずれかに記載の液晶表示装置。
【請求項５】
前記第二容量電極は、該第二容量電極が対応する表示画素と同じ画素に対応する前記第一容量電極と一体的に形成されていることを特徴とする請求項４に記載の液晶表示装置。
【請求項６】
前記第三容量電極が重なるように配置された前記所定の一辺は、前記第二画素電極の各辺のうちの前記走査信号線に隣接する辺であることを特徴とする請求項１乃至３のいずれかに記載の液晶表示装置。
【請求項７】
前記第二容量電極は、前記データ信号線の延伸方向に隣接する他の表示画素に対応する第一容量電極と一体的に形成されていることを特徴とする請求項６に記載の液晶表示装置。
【請求項８】
前記第一の電圧は、電圧レベルが所定の周期で反転する矩形波交流電圧であり、
前記第二の電圧は、一定レベルの直流電圧であることを特徴とする請求項１乃至７のいずれかに記載の液晶表示装置。
【請求項９】
前記第一の電圧は、電圧レベルが所定の周期で反転する矩形波交流電圧であり、
前記第二の電圧は、電圧レベルが前記第一の電圧と同じ周期で反転し、且つ、振幅が前記第一の電圧の振幅よりも小さい矩形波交流電圧であることを特徴とする請求項１乃至７のいずれかに記載の液晶表示装置。
【請求項１０】
前記第一誘電層、前記第二誘電層及び前記第三誘電層は、同一の層として形成されていることを特徴とする請求項１乃至９のいずれかに記載の液晶表示装置。
【手続補正２５】
【補正対象書類名】図面
【補正対象項目名】図５
【補正方法】変更
【補正の内容】
【図５】
2011150016.tif 000001
【手続補正２６】
【補正対象書類名】図面
【補正対象項目名】図１７
【補正方法】変更
【補正の内容】
【図１７】
2011150016.tif 000002
【手続補正２７】
【補正対象書類名】図面
【補正対象項目名】図１８
【補正方法】変更
【補正の内容】
【図１８】
2011150016.tif 000003